Podtech/llm-jp-corpus-v4-ja_patent huggingface dataset:
(57)【要約】【課題】地下埋設タンク内の液体燃料を連続循環させ、触媒物質への接触回数を増やしてより効果的に触媒効果が得られ、対流状態で循環させる事で不純物やスラッジなどが触媒に付着する事を低減し、改質効果を長時間持続させ、完全燃焼化に近づける効果によって燃費の向上による燃料の削減効果と、黒煙や有害排気ガスの低減化を得られる連続循環型燃料改質機を提供する。【解決手段】地下埋設タンクの給油設備の計量器１に接続されている給油配管４から分岐弁７により貯蔵液体燃料を循環用ポンプ２にて引き込み、触媒配管１１を経由して触媒装置９の触媒装填筒１２の内部の触媒物質に接触させ、排出配管５を通して地下タンク８に改質された液体燃料を戻し、連続して循環を行い触媒効果による効率的かつ長時間持続する燃料に改質し、計量器１により車両に給油して使用する。【選択図】図１
2013209610.tif 000002
【特許請求の範囲】
【請求項１】
地下埋設タンク内の液体燃料を連続循環型触媒装置で改質する改質機であり、地下埋設タンク内の燃料を給油部の計量器の手前から分岐弁を取付けて燃料を取り出し、循環用ポンプを経由する配管を通し、循環用の配管部分に触媒装置を設けて通過させ、燃料改質を行い、タンク内に改質した燃料を戻して、タンク内の対流を発生させ攪拌したのと同様の効果を得て、繰り返し連続循環させる事で触媒に接触する回数を増やして活性化した改質燃料を作り出す、連続循環型燃料改質機。
【請求項２】
前記循環吸油配管の先端に二股の吸油口を設け、タンク内の燃料の対流をより効果的にし攪拌状態を常に保つ連続循環型燃料改質機。
【請求項３】
前記連続循環型触媒装置には遠赤外線効果にて燃料の炭素分子連結の結合を分散させる混合セラミックからなる触媒を使用し効率の良い酸化還元作用が、可逆反応として繰り返し行われることにより改質効果が迅速に得られる連続循環型燃料改質機。
【発明の詳細な説明】
【技術分野】
【０００１】本発明は、軽油、Ａ重油、灯油、ガソリン等の液体燃料を保管する地下埋設タンク、地上タンク内において連続循環型の触媒装置にて燃料を改質し、完全燃焼に近い状態を維持する燃料改質機に関する装置である。
【背景技術】
【０００２】自社給油設備における地下埋設タンクは、運送事業者等大量に軽油を使用するため、自社敷地内に装備し大量に買い付ける事で一般より安価ではある為に、台数の多い事業者は自社給油設備を装備している。従来は、液体燃料を使用する自動車の燃料タンク自体に取付けを行う燃料改質装置として、特許出願２００６−２２０５７９又は特許出願２００６−７２３１４や、その他数種の液体燃料改質を行う装置が開示されている。【０００３】しかし、上述のような従来の様々な燃料を改質する装置は、個別にある程度の改質効果が期待できるが、台数毎に取付けないとならないために、複数所有する車両全体の経済効果を得るためには、装置を個別に台数分の取付けをするという事が必要になる。【０００４】また従来技術の燃料改質装置は、液体燃料でも不純物の多い軽油やＡ重油等において不純物が触媒物質に付着し、使用する際に効果が長時間持続出来ず充分な効果を発揮出来ない、効果が劣化するという要因もあった。
【発明の概要】
【発明が解決しようとする課題】
【０００５】地下埋設タンク内の液体燃料を連続循環させ、触媒物質への接触回数を増やしてより効果的に触媒効果が得られ、対流状態で循環させる事で不純物やスラッジなどが触媒に付着する事を低減し、改質効果を長時間持続させ、完全燃焼化に近づける効果によって燃費の向上による燃料の削減効果と、黒煙や有害排気ガスの低減化を得られる連続循環型燃料改質機を提供する。
【課題を解決するための手段】
【０００６】地下埋設タンクの給油設備の計量器１に接続されている配管４から分岐弁７により貯蔵液体燃料を２の循環用ポンプにて引き込み、触媒配管１１を経由して触媒装置本体９の触媒装填筒１２の内部の触媒物質に接触させ、排出配管５を通して地下タンク８に改質された液体燃料を戻し、連続して循環を行い触媒効果による効率的かつ長時間持続する燃料に改質し、計量器１により車両に給油して使用する。
【発明の効果】
【０００７】本発明の連続循環型燃料改質機では、貯蔵されている液体燃料が均一に改質される効果を均等に生み出すので、給油した燃料は改質し、機能性を持たせた燃料として給油する事で複数台の車両に対し、完全燃焼化に近い燃料の使用により燃費向上と排出ガスの有害物質の低減化を図ることが出来る。
【図面の簡単な説明】
【０００８】
【図１】  本発明の実施形態の全体を破断して示す構成図
【図２】  図１の連続循環型燃料改質機の触媒装置部分を破断して示す平面図
【図３】  図１の連続循環型燃料改質機の触媒装填筒内部の一部と、改質機全体を示す斜視図
【発明を実施するための形態】
【０００９】本発明に至った経緯には、提案されている従来技術で効果を充分に発揮できない、又は効果が持続出来ないのは、軽油やＡ重油等の液体燃料には不純物が多く含まれているため、長時間の使用には触媒物質に付着し、充分な触媒効果を得られないと考え特願平６−１１０３７６に提案されている混合セラミック発明者と本願発明者と試行錯誤した結果、液体燃料の改質効果を効果的に持続するには、連続した循環を行い流動的な対流を行う事により触媒物質に摩擦を発生させる、又、液体燃料自体が可逆反応により短時間での燃料改質効果と、触媒物質への不純物が付着しにくくする効果があることがわかった。
【００１０】更にタンク内の対流をより効率的にするために吸油する配管先端に二方向から吸油を行う二股吸油口を取付けて、タンク液体燃料の対流を高めることによって攪拌効果が得られ連続した循環による改質した燃料の触媒効果が短時間で発揮できる事が可能になり本発明を考案した。
【００１１】また、給油設備の作業を停止せずに触媒を交換する方法として油止弁を設けて触媒装填筒を交換する事で保守管理を簡略化することによって安全化を図り、長期間使用時には定期的に効果の高い触媒物質に交換出来るような構造とした。
【産業上の利用可能性】
【００１２】本発明の連続循環型燃料改質機を通常の燃料小売店ではない、自社所有の給油設備を設置している箇所に取り付けて実施すれば、個別の車両の燃料に改質された燃料を充填することが出来る為、改質による完全燃焼に近い燃料を使用して効果的な燃費の向上による燃料の節約、又は完全燃焼化に近づけた事による有害ガスの発生を低減化することが出来る。なお触媒には特殊セラミックを使用し、高い効果が確認された。
【符号の説明】
【００１３】１  計量器
２  循環ポンプ
３  触媒装置外部
４  給油配管
５  排出配管
６  二股吸油口
７  分岐弁
８  地下タンク
９  触媒装置本体
１０  油止弁
１１  触媒配管
１２  触媒装填筒
【図１】
2013209610.tif 000003
【図２】
2013209610.tif 000004
【図３】
2013209610.tif 000005
(57)【要約】【課題】メンテナンス性を向上させた空気調和機を提供すること。【解決手段】本発明の空気調和機は、エアフィルタ枠にエアフィルタを着脱可能に構成された空気調和機であって、前記エアフィルタの側面にガイドレールと、前記エアフィルタ枠に前記ガイドレールが挿入可能な案内レールとを備え、前記エアフィルタを撓ませながら前記案内レールに前記ガイドレールを挿入することにより、エアフィルタが取り付けやすくなり、メンテナンス性が向上する。【選択図】図４
2013137157.tif 000002
【特許請求の範囲】
【請求項１】
エアフィルタ枠にエアフィルタを着脱可能に構成された空気調和機であって、前記エアフィルタの側面にガイドレールと、前記エアフィルタ枠に前記ガイドレールが挿入可能な案内レールとを備え、前記エアフィルタを撓ませながら前記案内レールに前記ガイドレールを挿入することを特徴とする空気調和機。
【請求項２】
前記ガイドレールは、前記エアフィルタに複数個の繋ぎ部分で一体形成されていることを特徴とする請求項１に記載の空気調和機。
【発明の詳細な説明】
【技術分野】
【０００１】
本発明は、塵埃を捕集するエアフィルタを有する空気調和機に関するものである。
【背景技術】
【０００２】
従来、エアフィルタを有する空気調和機において、エアフィルタ枠にエアフィルタの案内レールを設け、エアフィルタをエアフィルタ枠の案内レールに沿わせて本体正面から取付けられる構成となっている。このような、エアフィルタが確実に本体にセットできるように、エアフィルタの案内レールが構成され考案されている（例えば、特許文献１参照）。
【先行技術文献】
【特許文献】
【０００３】
【特許文献１】実開平３−１２７１２５号公報
【発明の概要】
【発明が解決しようとする課題】
【０００４】
しかしながら、最近ではエアフィルタの前面に構造物が配置されており、本体正面側からエアフィルタを取り付け難いという課題を有していた。
【０００５】
本発明は、前記従来の課題を解決するもので、メンテナンス性を向上させた空気調和機を提供することを目的とする。
【課題を解決するための手段】
【０００６】
前記従来の課題を解決するために、本発明の空気調和機は、エアフィルタ枠にエアフィルタを着脱可能に構成された空気調和機であって、前記エアフィルタの側面にガイドレールと、前記エアフィルタ枠に前記ガイドレールが挿入可能な案内レールとを備え、前記エアフィルタを撓ませながら前記案内レールに前記ガイドレールを挿入することにより、エアフィルタが取り付けやすくなり、メンテナンス性が向上する。
【発明の効果】
【０００７】
本発明は、メンテナンス性を向上させた空気調和機を提供することができる。
【図面の簡単な説明】
【０００８】
【図１】本発明の実施の形態１における空気調和機の室内機の正面図
【図２】同実施の形態１における空気調和機の室内機の断面図
【図３】同実施の形態１における要部分解斜視図
【図４】同実施の形態１における要部拡大図
【図５】同実施の形態１における要部拡大図
【発明を実施するための形態】
【０００９】
第１の発明の空気調和機は、エアフィルタ枠にエアフィルタを着脱可能に構成された空気調和機であって、前記エアフィルタの側面にガイドレールと、前記エアフィルタ枠に前記ガイドレールが挿入可能な案内レールとを備え、前記エアフィルタを撓ませながら前記案内レールに前記ガイドレールを挿入することにより、エアフィルタが取り付けやすくなり、メンテナンス性が向上する。
【００１０】
第２の発明の空気調和機は、特に第１の発明において、ガイドレールは、エアフィルタ
に複数個の繋ぎ部分で一体形成されていることにより、強度を向上することができる。
【００１１】
以下、本発明の実施の形態について、図面を参照しながら説明する。なお、この実施の形態によって本発明が限定されるものではない。
【００１２】
（実施の形態１）
図１は、本発明の実施の形態１における空気調和機の室内機の正面図、図２は同実施の形態１における室内機の断面図、図３は同実施の形態１における要部分解斜視図、図４は、同実施の形態１における要部拡大図、図５同実施の形態１における要部拡大図である。
【００１３】
まず、空気調和機の室内機本体１には、室内熱交換器２とクロスフローファン３と吹出しグリル４とが配設され、室内熱交換器２の前面側にお掃除ユニット５が配置され、さらにお掃除ユニット５の前面側に電装ユニット６が配置されている。なお、本実施の形態における空気調和機は室内に配置される室内機と、室外に配置される室外機とを冷媒配管によって接続することによって構成されている。
【００１４】
また、お掃除ユニット５と室内熱交換器２との間にはエアフィルタ枠７と、エアフィルタ８とが配置されており、エアフィルタ８はエアフィルタ枠７に取り付けられている。このようにエアフィルタ８の前面側には様々な構造品が配置されているため、ユーザーがエアフィルタ８をエアフィルタ枠７に取り付ける際は、非常に作業がしづらい。
【００１５】
次に、本実施の形態１における空気調和機のエアフィルタ８の構造について説明する。お掃除ユニット５はエアフィルタ枠７にエアフィルタ８を配置し、お掃除ノズル９がエアフィルタ８の前方に配置されている。
【００１６】
エアフィルタ８の自動清掃機能が有効の場合は、お掃除ノズル９がエアフィルタ枠７の長手方向に往復動作を行い、エアフィルタ８で捕集された塵埃をお掃除ノズル９で吸引する。
【００１７】
また、お掃除ユニット５の前面側に電装ユニット６が配置されているため、エアフィルタ８はエアフィルタ枠７に設けられている案内レール７ａに沿うように撓ませながら挿入しエアフィルタ枠７に取付ける。
【００１８】
ここで、エアフィルタ８側面にガイドレール８ａを設け、かつ、エアフィルタ８を撓ませながらエアフィルタ枠７に沿って挿入することで、エアフィルタ８が容易に本体に取付けられる。さらにエアフィルタ８の浮きも抑制され、お掃除ノズル９の異常停止を防止できる効果が得られる。
【００１９】
また、エアフィルタ８が浮いた場合、図５に示すように案内レール７ａの上側にエアフィルタ８のガイドレール８ａが乗り上がった状態になるため、エアフィルタ８の誤挿入の認識が図れ、お掃除ノズル９の異常停止を防止できる効果が得られる。
【００２０】
さらに、エアフィルタ８側面のガイドレール８ａに複数個繋ぎ部分８ｂを設けたことにより、ガイドレール８ａの強度を確保することができる。
【産業上の利用可能性】
【００２１】
本発明は、室内機が複数台あるようなマルチ型の空気調和機であっても適用することができる。
【符号の説明】
【００２２】
１  室内機本体
７  エアフィルタ枠
７ａ  案内レール
８  エアフィルタ
８ａ  ガイドレール
【図１】
2013137157.tif 000003
【図２】
2013137157.tif 000004
【図３】
2013137157.tif 000005
【図４】
2013137157.tif 000006
【図５】
2013137157.tif 000007
(57)【要約】【課題】ステアリング用ピニオン軸支持軸受において、軸方向荷重が負荷されることによる玉の乗り上げの発生に起因するエッジロードの影響を緩和する。【解決手段】ステアリング用ピニオン軸支持軸受の内輪１の内輪軌道２の横に周方向に沿った溝３を設け、溝３と内輪軌道２との間に変形部４を設けた。ステアリング用ピニオン軸支持軸受に軸方向から大きな荷重が負荷され、内輪軌道２と外輪軌道との間に配された玉の乗り上げが生じようとした場合には、内輪軌道２と溝３の間の変形部４が弾性変形することにより、エッジロードを緩和する。【選択図】図１
2013137066.tif 000002
【特許請求の範囲】
【請求項１】
ステアリング用ピニオン軸支持軸受において、外周面に内輪軌道を有する内輪と、内周面に外輪軌道を有する外輪と、前記内輪軌道と前記外輪軌道との間に転動自在に設けられた複数個の玉を有し、前記内輪の前記内輪軌道の横に周方向に沿った溝を設け、該溝と前記内輪軌道との間に変形部を設けたことを特徴とするステアリング用ピニオン軸支持軸受。
【請求項２】
前記外輪の前記外輪軌道の横に周方向に沿った溝を設け、該溝と前記外輪軌道との間に変形部を設けたことを特徴とする請求項１に記載のステアリング用ピニオン軸支持軸受。
【発明の詳細な説明】
【技術分野】
【０００１】
本発明は、ラックアンドピニオン式ステアリング装置のピニオン軸支持軸受に関する。
【背景技術】
【０００２】
ラックアンドピニオン式ステアリング装置は、ステアリングシャフトの下端に連結されるピニオン軸とラック軸をラックハウジングで軸支し、前記ラック軸の両端をタイロッド等を介して転舵装置に連結して該ラック軸の左右移動に応じて車輪の転向を行う。前記ピニオン軸は通常ピニオン形成部の両端側、つまり下部の軸端側およびステアリングシャフトとの連結部側の２箇所で転がり軸受を介して軸支される。一般には、ピニオン軸を軸支する２箇所の軸受の少なくとも一方は玉軸受が用いられ、この玉軸受の内外輪を軸方向に固定することでピニオン軸の軸方向移動を拘束している。
【０００３】
ピニオン軸をラックハウジングのピニオン軸挿入口側、つまりステアリングシャフトとの連結部に近い側で玉軸受により軸支したものとしては特許文献１に、また、ピニオン軸の軸端側を玉軸受で支持したものとしては特許文献２に示されている。
【０００４】
特許文献１及び特許文献２のピニオン軸を支持する玉軸受は、いずれも外周面に内輪軌道を有する内輪と、内周面に外輪軌道を有する外輪と、内輪軌道と外輪軌道との間に転動自在に設けられた複数個の玉を有している。
【先行技術文献】
【特許文献】
【０００５】
【特許文献１】特開２００７−１１２２７２号公報
【特許文献２】特開平１１−４３０５６号公報
【発明の概要】
【発明が解決しようとする課題】
【０００６】
ラックアンドピニオン式ステアリング装置のピニオン軸には、タイヤからの反力がラック軸を通して負荷されるため、ピニオン軸を支持する玉軸受には大きなアキシアル荷重が負荷されることになる。玉軸受では、軸方向に大きな荷重が負荷された場合、玉の転動面と内輪軌道面及び外輪軌道面との転がり接触部の接触楕円が、各軌道面の幅方向縁部に達する、いわゆる玉の乗り上げが生じる虞がある。
【０００７】
玉の乗り上げが生じた場合には、各玉の転動面と内輪軌道面及び外輪軌道面とに、エッジロードに基づく過大面圧が加わる（局部的に応力が集中する）ため、これら転動面や各軌道面に圧痕等の損傷が生じて、軸受寿命が低下する原因となる。
【０００８】
そこで、本発明は、上記した不具合を解決することを目的とする。
【課題を解決するための手段】
【０００９】
上記目的を達成するため、本発明のステアリング用ピニオン軸支持軸受は、外周面に内輪軌道を有する内輪と、内周面に外輪軌道を有する外輪と、内輪軌道と外輪軌道との間に転動自在に設けられた複数個の玉を有し、内輪の内輪軌道の横に周方向に沿った溝を設け、溝と内輪軌道との間に変形部を設けたことを特徴とする。また、外輪の外輪軌道の横に周方向に沿った溝を設け、溝と外輪軌道との間に変形部を設けたことを特徴とする。
【発明の効果】
【００１０】
本発明により、ピニオン軸を支持する軸受に、軸方向から大きな荷重が負荷され、玉の乗り上げが生じようとする場合においても、内輪軌道の横に設けられた溝と内輪軌道との間の変形部が弾性変形することにより、エッジロードを緩和できる。
【図面の簡単な説明】
【００１１】
【図１】本発明に係るステアリング用ピニオン軸支持用軸受の内輪を示す図である。
【発明を実施するための形態】
【００１２】
本発明に係るステアリング用ピニオン軸支持軸受は、従来の軸受と同様に、外周面に内輪軌道を有する内輪と、内周面に外輪軌道を有する外輪と、内輪軌道と外輪軌道との間に転動自在に設けられた複数個の玉を有している。
【００１３】
本発明のステアリング用ピニオン軸支持軸受の実施の形態を図面を参照しながら説明する。図１は、本発明に係るステアリング用ピニオン軸支持軸受の内輪１の要部断面図である。図１に示すように、内輪１の内輪軌道２の横には、周方向に沿った溝３が設けられている。また、内輪軌道２と溝３との間には変形部４が設けられている。
溝３の深さ及び変形部４の幅は、実際に軸受に作用する軸方向荷重の大きさを考慮し、エッジロードを緩和に必要な変形部４の変形が得られるような大きさが選択されている。
【００１４】
本発明のステアリング用ピニオン軸支持軸受に軸方向から大きな荷重が負荷され、内輪軌道２と外輪軌道との間に配された玉の乗り上げが生じようとした場合には、内輪軌道２と溝３の間の変形部４が弾性変形することにより、エッジロードを緩和できる。
【００１５】
尚、内輪と同様に、外輪の外輪軌道の横に溝を設け、溝と外勤軌道との間に変形部を設けると、更に効果がある。
【符号の説明】
【００１６】
１  内輪
２  内輪軌道
３  溝
４  変形部
【図１】
2013137066.tif 000003
(57)【要約】【課題】  使用していない時のノートパソコンを立てて収納するという単一機能のノートパソコンスタンドは、ノートパソコン使用時には、未使用状態で机上、またはその周辺に置かれ、邪魔であった。  本発明は、これらの課題を解決し、多目的に使えるように工夫したノートパソコン収納スタンドを提供する。【解決手段】  水平な底板の上に、一対の長方形の板を、立てたノートパソコンを収納するために必要な距離を保って、平行かつ垂直に立ててノートパソコンの支持板となし、その内側にノートパソコン収納部を形成し、併せて、支持板の背部および転倒防止用に張り出した底板の上に側板を垂直に立てて上部を開放するように囲み、筆記用具やメモ用紙などを収納できるようにして、多目的に使えるように工夫したノートパソコン収納スタンド。【選択図】図１
2013137728.tif 000002
【特許請求の範囲】
【請求項１】
水平な底板の上に、一対の長方形の板を、立てたノートパソコンを収納するために必要な距離を保って、平行かつ垂直に立てて支持板となし、その内側にノートパソコン収納部を形成し、併せて、支持板の背部および転倒防止用に張り出した底板の上に側壁を垂直に立てて上部を開放するように囲み、筆記用具やメモ用紙などを収納できるようにして、多目的に使えるように工夫したノートパソコン収納スタンド。
【発明の詳細な説明】
【技術分野】
【０００１】  本発明は、使用していないノートパソコンを立てて収納できると同時に、筆記用具やメモ用紙などを収納することができ、多目的に使えるように工夫したノートパソコン収納スタンドに関するものである。
【背景技術】
【０００２】  使用していないノートパソコンを机の上に平置きすると、机上で大きな面積を占有して、机上作業の邪魔になることが多いため、立てて収納することを目的として、いろいろな考案がなされている（特許文献１〜５参照）。
いずれも、ノートパソコンを立てて収納するだけという単一の機能である。
【先行技術文献】
【特許文献】
【０００３】
【特許文献１】特開２０１１−１５７００１号公報。
【特許文献２】特開２００５−３０８０３８号公報。
【特許文献３】登録実用新案第３１２６９６３号公報。
【特許文献４】登録実用新案第３０５９７９９号公報。
【特許文献５】特開２００３−４４１７３号公報。
【発明の概要】
【発明が解決しようとする課題】
【０００４】  使用していない時のノートパソコンを立てて収納するだけという、単一の機能のスタンドでは、ノートパソコンを使用している時には、そのスタンドが何も使われていない状態で机上、またはその周辺を占有して邪魔になるなど新たな問題が生ずる。
本発明は、以上の問題を解決するためになされたものである。
【問題を解決するための手段】
【０００５】  使用していないノートパソコンを立てて収納するスタンドで、ノートパソコンを支える支持板の背部、および転倒防止のために張り出した底板の上を、側板を立てて囲み、筆記用具収納部やメモ用紙収納部を設け、多目的に使えるように工夫したスタンドとしたものである。
以上のように構成したノートパソコン収納スタンドである。
【発明の効果】
【０００６】  使用していない時のノートパソコンを立てて収納することができるので、机上が広く使え、併せて、従来、机上に置いていた筆記用具やメモ用紙が収納できるので、より広く机上を使用することができる。
【図面の簡単な説明】
【０００７】
【図１】  本発明の斜視図である。
【図２】  本発明の平面図である。
【図３】  本発明にノートパソコンを立てて収納した時の斜視図である。
【図４】  本発明にノートパソコンを立てて収納した時の断面図である。
【発明を実施するための形態】
【０００８】  以下、本発明の実施の形態を説明する。
（イ）水平な底板（２）の上に、一対の長方形の板（１）を、立てたノートパソコン（５）を収納するために必要な距離を保って、平行かつ垂直に立ててノートパソコン（５）の支持板（１）となし、その内側をノートパソコン収納部（６）とする。
（ロ）当該支持板（１）の背部、および転倒防止用に張り出した底部（２）の上に、側壁（３）を垂直に立て上部を開放するように囲い、隔壁（４）を設けて、筆記用具収納部（７）やメモ用紙収納部（８）を形成する。
本発明は以上のような構造である。
本発明は、使用していない時のノートパソコン（５）を、立てて収納するための道具として使用すると同時に、常時、筆記用具やメモ用紙入れなどに使用する。
【符号の説明】
【０００９】１  支持板
２  底板
３  側壁
４  隔壁
５  ノートパソコン
６  ノートパソコン収納部
７  筆記用具収納部
８  メモ用紙収納部
【図１】
2013137728.tif 000003
【図２】
2013137728.tif 000004
【図３】
2013137728.tif 000005
【図４】
2013137728.tif 000006